(57)【要約】【課題】画質の連続性を損なうことなく複数の画像を所定時間間隔で順次表示させることができるデジタルフォトフレームを提供する。【解決手段】画像を順次表示する表示部６と、前記表示部６に表示されている画像の情報に基づいて前記表示部６に表示される画像を選択する選択部３０とを備える。【選択図】図２
2010039467.tif 000002
【特許請求の範囲】
【請求項１】
画像を順次表示する表示部と、
前記表示部に表示されている画像の情報に基づいて前記表示部に表示される画像を選択する選択部と、
を備えることを特徴とするデジタルフォトフレーム。
【請求項２】
他システムから前記画像を取得する画像取得部を備え、
前記選択部は、前記画像取得部により取得された前記画像から前記表示部に表示される画像を選択することを特徴とする請求項１記載のデジタルフォトフレーム。
【請求項３】
複数の前記画像を記憶している画像記憶部を備え、
前記選択部は、前記画像記憶部に記憶されている前記画像から前記表示部に表示される画像を選択することを特徴とする請求項１記載のデジタルフォトフレーム。
【請求項４】
他のデジタルフォトフレームに対して前記情報を送信する送信部を備えることを特徴とする請求項１〜請求項３の何れか一項に記載のデジタルフォトフレーム。
【請求項５】
他のデジタルフォトフレームから前記情報を受信する受信部を備えることを特徴とする請求項４記載のデジタルフォトフレーム。
【請求項６】
前記選択部は、受信した前記情報に基づいて前記表示部に表示される画像を選択することを特徴とする請求項５記載のデジタルフォトフレーム。
【請求項７】
前記選択部は、前記表示部の少なくとも一部領域に表示される基準画像の前記情報に基づいて、前記表示部の他部領域に表示される画像を選択することを特徴とする請求項１〜請求項６の何れか一項に記載のデジタルフォトフレーム。
【請求項８】
前記情報は、前記画像の画素値、圧縮率、ホワイトバランス値、前記画像を撮像した撮像装置の種類、前記画像の撮像時のスピードライトの有無、撮影位置情報、撮影日時情報、色特徴量及びテクスチャ特徴量の中の少なくとも１つであることを特徴とする請求項１〜請求項７の何れか一項に記載のデジタルフォトフレーム。
【請求項９】
第１デジタルフォトフレーム及び第２デジタルフォトフレームを備え、
前記第１デジタルフォトフレームは、前記第２デジタルフォトフレームに対して画像の情報を送信する送信部を備え、
前記第２デジタルフォトフレームは、前記第１デジタルフォトフレームからの前記情報を受信する受信部と、前記情報に基づいて表示部に表示する画像を選択する選択部を備えることを特徴とするデジタルフォトフレームシステム。
【発明の詳細な説明】
【技術分野】
【０００１】
本発明は、デジタルフォトフレーム及びデジタルフォトフレームシステムに関するものである。
【背景技術】
【０００２】
観賞用画像を電気的に表示する表示部を備えたデジタルフォトフレームが知られている（例えば、特許文献１参照）。
【先行技術文献】
【特許文献】
【０００３】
【特許文献１】特開２００１−６７００４号公報
【発明の開示】
【発明が解決しようとする課題】
【０００４】
ところで、内部メモリや他システムに記憶されている画質の異なる複数の画像を所定時間間隔で順次表示する場合に、画質の連続性が損なわれるという問題があった。
【０００５】
本発明の目的は、画質の連続性を損なうことなく複数の画像を所定時間間隔で順次表示させることができるデジタルフォトフレーム及びデジタルフォトフレームシステムを提供することである。
【課題を解決するための手段】
【０００６】
本発明のデジタルフォトフレームは、画像を順次表示する表示部と、前記表示部に表示されている画像の情報に基づいて前記表示部に表示される画像を選択する選択部とを備えることを特徴とする。
【０００７】
また、本発明のデジタルフォトフレームシステムは、第１デジタルフォトフレーム及び第２デジタルフォトフレームを備え、前記第１デジタルフォトフレームは、前記第２デジタルフォトフレームに対して画像の情報を送信する送信部を備え、前記第２デジタルフォトフレームは、前記第１デジタルフォトフレームからの前記情報を受信する受信部と、前記情報に基づいて表示部に表示する画像を選択する選択部を備えることを特徴とする。
【発明の効果】
【０００８】
本発明のデジタルフォトフレーム及びデジタルフォトフレームシステムによれば、画質の連続性を損なうことなく複数の画像を所定時間間隔で順次表示させることができる。
【図面の簡単な説明】
【０００９】
【図１】第１の実施の形態に係るデジタルフォトフレームの外観を示す斜視図である。
【図２】第１の実施の形態に係るデジタルフォトフレームのシステム構成を示すブロック図である。
【図３】第１の実施の形態に係るデジタルフォトフレームにおいてスライドショーが行われる際の処理について説明するためのフローチャートである。
【図４】第２の実施の形態に係るデジタルフォトフレームシステムの構成を示す図である。
【図５】第２の実施の形態に係るデジタルフォトフレームシステムにおいてスライドショーが行われる際の処理について説明するためのフローチャートである。
【図６】ＬＣＤパネルに表示される画像の領域を説明するための図である。
【図７】第３の実施の形態に係るデジタルフォトフレームにおいてスライドショーが行われる際の処理について説明するためのフローチャートである。
【図８】ＬＣＤパネルに表示される画像の領域を説明するための図である。
【発明を実施するための形態】
【００１０】
以下、図面を参照して、本発明の第１の実施の形態に係るデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するもの（電子写真立て）を例にして説明する。図１は、第１の実施の形態に係るＤＰＦの外観を示す斜視図である。ＤＰＦ２は、ガラスやプラスチック等からなる装置本体４を備え、装置本体４の前面には、観賞用画像や時刻等の情報を電気的に表示する表示部としてのＬＣＤパネル６が設けられている。また、装置本体４の前面には、音楽や音声が出力されるスピーカ８と図示しないＤＰＦ２の操作用リモコンから出力される赤外線を検出する赤外線検出部１０が設けられている。また、装置本体４の上面には、ＤＰＦ２の電源のオン／オフ状態を切り替える電源スイッチ１２及びＤＰＦ２の機能設定やＬＣＤパネル６の表示設定の際に使用する操作キー１４が設けられている。また、装置本体４の一方の側面には、画像や音楽等のデータが記憶されたメモリカードが挿入されるメモリカードスロット１６、ＵＳＢ機器が接続されるＵＳＢポート１８及びインターネット等のネットワークに接続するために用いられるネットワーク端子２０が設けられている。
【００１１】
図２は、第１の実施の形態に係るＤＰＦ２のシステム構成を示すブロック図である。ＤＰＦ２の各部を統括的に制御するＣＰＵ３０には、上述の赤外線検出部１０、電源スイッチ１２、操作キー１４、メモリカードスロット１６、ＵＳＢポート１８及びネットワーク端子２０が接続されている。また、ＣＰＵ３０には、画像や音楽等のデータを一時的に記憶するバッファメモリ３２、ＤＰＦ２の機能の設定、画像や音楽等のデータ及び画像の画質に関する情報が記憶される内部メモリ３４が接続されている。また、ＣＰＵ３０には、ＬＣＤパネル６に表示される画像や情報等の表示制御を行う表示制御部３６、スピーカ８から出力される音楽や音声の再生制御を行う再生制御部３８が接続されている。
【００１２】
また、ＣＰＵ３０には、送信部４０及び受信部４２が接続されている。送信部４０は、他のＤＰＦに対して、画像の画質に関する情報を送信し、受信部４２は、他のＤＰＦから送信される画像の画質に関する情報を受信する。また、図２に示すように、ＤＰＦ２は、ネットワーク端子２０を介して接続されるインターネット等のネットワーク４６上に存在するＷｅｂサーバ４８に接続されており、Ｗｅｂサーバ４８には、様々な画像が蓄積されている。
【００１３】
次に、図３のフローチャートを参照して、ＤＰＦ２においてスライドショーが行われる際の処理について説明する。スライドショーとは、ＬＣＤパネル６に複数の画像を所定時間間隔で順次表示させる機能のことである。所定時間は、変更可能に構成されており、予め設定され、内部メモリ３４に記憶されている。なお、この実施の形態においては、内部メモリ３４に記憶されている複数の画像は、略同一の画質を有しているものとし、これら画像の画質に関する情報は、各画像の画像データと共にタグデータとしてＥｘｉｆ（Ｅｘｃｈａｎｇａｂｌｅ  ｉｍａｇｅ  ｆｉｌｅ  ｆｏｒｍａｔ）等の所定の形式で内部メモリ３４に予め記憶されているものとする。ここで、画像の画質とは、画像の画素値（画素数）、画像の圧縮率、画像のホワイトバランス値、画像を撮像したカメラの種類（メーカー、モデル等）、及び画像の撮像時のスピードライトの有無等のことである。
【００１４】
ＣＰＵ３０は、観賞者によりＤＰＦ２の電源スイッチ１２がオンされ、操作キー１４の操作によりスライドショーの実施が選択されたことを認識すると、内部メモリ３４に記憶されている画像をＬＣＤパネル６に所定時間間隔で順次表示する。そして、最後の画像がＬＣＤパネル６に表示されたとき（ステップＳ１０）、そのＬＣＤパネル６に表示されている画像（以下、表示画像という）の画素値を内部メモリ３４に記憶されている表示画像のタグデータから取得する（ステップＳ１１）。
【００１５】
次に、ＣＰＵ３０は、ネットワーク端子２０を介して、Ｗｅｂサーバ４８に蓄積されている複数の画像の中から最初の画像を取得する（ステップＳ１２）。即ち、最初の画像の画像データ、及びこの画像に関する情報を含むタグデータ等が付加されていればこのタグデータも取得し、バッファメモリ３２に記憶させる。次に、ステップＳ１２において取得した画像（以下、取得画像という）の画素値を取得する（ステップＳ１３）。取得画像にタグデータが付加されており、そのタグデータに画素値の情報が含まれている場合には、タグデータから画素値を取得し、タグデータに画素値の情報が含まれていない場合または取得画像にタグデータが付加されていない場合には、取得画像の画像データから画素値を取得する。
【００１６】
次に、ＣＰＵ３０は、ステップＳ１１において取得した表示画像の画素値と、ステップＳ１３において取得した取得画像の画素値とを比較する（ステップＳ１４）。具体的には、取得画像の画素値が、表示画像の画素値に対して所定範囲内であるか否かを判別する（ステップＳ１５）。所定範囲は、変更可能に構成されており、予め設定され、内部メモリ３４に記憶されている。例えば、表示画像の画素値をＴ１、取得画像の画素値をＴ２、所定範囲を±１０％としたとき、Ｔ１×０．９≦Ｔ２≦Ｔ１×１．１の場合には取得画像の画素値が所定範囲内であると判別し、Ｔ２＜Ｔ１×０．９またはＴ２＞Ｔ１×１．１の場合には取得画像の画素値が所定範囲内でないと判別する。なお、所定範囲を０とすることもでき、この場合には、取得画像の画素値が表示画像の画素値と一致したときのみ、所定範囲内であると判別される。
【００１７】
取得画像の画素値が所定範囲内でないと判別された場合には（ステップＳ１５，Ｎｏ）、ＣＰＵ３０は、バッファメモリ３２から取得画像を削除し（ステップＳ１６）、ステップＳ１２に戻る。そして、Ｗｅｂサーバ４８に蓄積されている複数の画像の中から次の画像を取得し（ステップＳ１２）、取得画像の画素値が所定範囲内であると判別されるまでステップＳ１２〜ステップＳ１６の処理を繰り返す。
【００１８】
一方、取得画像の画素値が所定範囲内であると判別された場合には（ステップＳ１５，Ｙｅｓ）、ＣＰＵ３０は、スライドショーにおける１画像の表示時間である所定時間が経過したか否かを判別する（ステップＳ１７）。そして、所定時間が経過した後（ステップＳ１７，Ｙｅｓ）、ＣＰＵ３０は、表示制御部３６を介してＬＣＤパネル６に取得画像を表示する（ステップＳ１８）。
【００１９】
ＣＰＵ３０は、ＬＣＤパネル６に取得画像を表示している間に、ステップＳ１１に戻り、バッファメモリ３２に記憶されている取得画像（現在表示されている画像）のデータ（画像データまたはタグデータ）から取得画像の画素値を取得し（ステップＳ１１）、Ｗｅｂサーバ４８に蓄積されている複数の画像の中から次の画像を取得し（ステップＳ１２）、次の画像の画素値がＬＣＤパネル６に表示されている取得画像の画素値に対して所定範囲内であるか否かの判別を行う（ステップＳ１５）。このように、観賞者によりスライドショーを停止する操作等が行われるまで、ＣＰＵ３０は、ステップＳ１１〜ステップＳ１８の処理を繰り返す。即ち、Ｗｅｂサーバ４８に蓄積されている複数の画像の中から適切な画素値を有する画像を所定時間間隔でＬＣＤパネル６に順次表示する。
【００２０】
第１の実施の形態に係るＤＰＦ２によれば、内部メモリ３４に記憶されているすべての画像を表示した後においても、Ｗｅｂサーバ４８に蓄積されている画像を表示することができるため、スライドショーを継続することができる。また、Ｗｅｂサーバ４８に蓄積されている複数の画像の中からＬＣＤパネル６に表示されている画像の画素値（画質）に近似した画像を表示することができるため、画像の画質の連続性を損なうことなく複数の画像を順次表示させることができる。
【００２１】
なお、上述の実施の形態において、インターネット上にあるＷｅｂサーバから画像を取得する場合に、画像の取得のされ方によって画素数が増減する場合がある。このような場合には、先ずＷｅｂサーバから所定枚数の画像を取得し、取得した画像の中から画素値が所定の範囲内である画像を選択し、選択された画像のソートを行う。ここでソートの順番は特性値（画素値、圧縮率、ホワイトバランス値、画像を撮像した撮像装置の種類、及び画像の撮像時のスピードライトの有無、撮影位置情報、撮影日時情報、色特徴量（例えば、Ｓｃａｌａｂｌｅ  Ｃｏｌｏｒの値）、テクスチャ特徴量（例えば、Ｅｄｇｅ  Ｈｉｓｔｏｇｒａｍの値））のいずれかの順とする。これについては昇順、降順も可能とする。さらに、ある特性値によってソートした結果、同じ順位になった画像については、もう一つの特性値を使って同順位の画像をソートしてもよい。例えば、画素値によってソートした結果、同順位になった画像が複数あるとき、第二の特性値として画像圧縮率を使い、それらの画像をソートする。また、例えば、画素値によってソートした結果、同順位になった画像が複数あるとき、第二の特性値として色特徴量（例えば、Ｓｃａｌａｂｌｅ  Ｃｏｌｏｒの値）あるいはテクステャ特徴量（例えば、Ｅｄｇｅ  Ｈｉｓｔｏｇｒａｍの値）を使い、それらの画像をソートする。また、例えば、撮影日時によってソートした結果、同順位になった画像が複数あるとき、第二の特性値として画素値あるいは圧縮率を使い、それらの画像をソートする。そして、これらの画像をソート順にＬＣＤパネル６に表示する。これにより、画素値の増減がなく画質の一定感を保つことができる。
【００２２】
なお、第１の実施の形態においては、内部メモリ３４に記憶されている複数の画像が略同一の画質を有しているものとして説明したが、変形例として内部メモリ３４が高い画素値を有する画像と低い画素値を有する画像を記憶している場合においてスライドショーが行われる際の処理について説明する。
【００２３】
まず、内部メモリ３４に記憶されている高い画素値を有する画像をＬＣＤパネル６に表示する。次に、Ｗｅｂサーバ４８に蓄積されている複数の画像の中から、高い画素値を有する画像の画素値に対して所定範囲低い（例えば−１〜−１０％の）画素値を有する画像（以下、Ｗｅｂ画像という）を取得し、ＬＣＤパネル６に表示する。次に、Ｗｅｂサーバ４８に蓄積されている複数の画像の中から、Ｗｅｂ画像の画素値に対して所定範囲低い画素値を有する次の画像を取得し、ＬＣＤパネル６に表示する。このように、Ｗｅｂサーバ４８から取得し、ＬＣＤパネル６に表示する画像の画素値を徐々に低下させていく。そして、内部メモリ３４に記憶されている低い画素値を有する画像が、ＬＣＤパネル６に表示されている画像の画素値に対して所定範囲低い画素値を有していると判別されたとき、この低い画素値を有する画像をＬＣＤパネル６に表示する。
【００２４】
この変形例によれば、内部メモリ３４に画質の異なる複数の画像が記憶されている場合においても、Ｗｅｂサーバ４８に蓄積されている複数の画像の中から内部メモリ３４に記憶されている画像の画素値（画質）より少し低い画素値を有する画像を表示し、ＬＣＤパネル６に表示される画像の画素値を徐々に低下させていくことができるため、内部メモリ３４に記憶されている画質の異なる画像を用いて画像の画質の連続性を損なうことなくスライドショーを行うことができる。なお、低い画素値を有する画像を最初にＬＣＤパネル６に表示し、Ｗｅｂサーバ４８から取得し、表示する画像の画素値を徐々に向上させ、最後に内部メモリ３４に記憶されている高い画素値を有する画像をＬＣＤパネル６に表示するようにしてもよい。
【００２５】
次に、図面を参照して、本発明の第２の実施の形態に係るデジタルフォトフレームシステムについて説明する。図４は、第２の実施の形態に係るデジタルフォトフレームシステム５０の構成を示す図である。図４に示すように、デジタルフォトフレームシステム５０は、２つのＤＰＦ５２，５４を備えている。ＤＰＦ５２は、ＤＰＦ５４に対して画像の画質に関する情報を送信する主ＤＰＦ、ＤＰＦ５４は、ＤＰＦ５２から画像の画質に関する情報を受信する従ＤＰＦとして動作するよう予め設定されている。例えば、各ＤＰＦが有するネットワークアドレスの小さい方または大きい方等から主ＤＰＦを自動で設定する。または、予め観賞者により操作キー１４等を用いて手動で設定する。
【００２６】
なお、主ＤＰＦ５２及び従ＤＰＦ５４の外観及びシステム構成は、図１及び図２に示すＤＰＦ２の外観及びシステム構成と同様であるため詳細な説明を省略する。また、主ＤＰＦ５２及び従ＤＰＦ５４は、机等の上に並べて設置されているものとして説明を行う。主ＤＰＦ５２の送信部４０ａは、従ＤＰＦ５４の受信部４２ａに対して、主ＤＰＦ５２のＬＣＤパネルに表示されている画像の画質に関する情報を送信する。従ＤＰＦ５４の受信部４２ａは、主ＤＰＦ５２の送信部４０ａから送信される画像の画質に関する情報を受信する。
【００２７】
次に、図５のフローチャートを参照して、主ＤＰＦ５２及び従ＤＰＦ５４においてスライドショーが行われる際の処理について説明する。
【００２８】
まず、主ＤＰＦ５２（のＣＰＵ）は、観賞者により主ＤＰＦ５２の電源スイッチがオンされ、スライドショーの実施が選択されたことを認識すると、主ＤＰＦ５２のＬＣＤパネルに表示する画像（以下、表示画像という）を決定し（ステップＳ２０）、表示画像の画素値を取得する（ステップＳ２１）。例えば、内部メモリ、Ｗｅｂサーバまたはメモリカードスロットに挿入されているメモリカードに記憶されている画像の中から表示画像を決定し、表示画像の画像データまたは画像データに付加されているタグデータから画素値を取得する。
【００２９】
次に、主ＤＰＦ５２は、送信部４０ａを介して、ステップＳ２１において取得した表示画像の画素値を従ＤＰＦ５４に対して送信し（ステップＳ２２）、表示画像を主ＤＰＦ５２のＬＣＤパネルに表示する（ステップＳ２３）。そして、主ＤＰＦ５２は、ステップＳ２０に戻り、ＬＣＤパネルに次に表示する画像を決定し（ステップＳ２０）、次の画像の画素値を取得し（ステップＳ２１）、次の画像の画素値を従ＤＰＦ５４に対して送信する（ステップＳ２２）。そして、スライドショーにおける１画像の表示時間である所定時間が経過した後、主ＤＰＦ５２は、次の画像をＬＣＤパネルに表示する（ステップＳ２３）。このように、観賞者によりスライドショーを停止する操作または従ＤＰＦ５４の電源スイッチがオフされる操作等が行われるまで、主ＤＰＦ５２は、ステップＳ２０〜ステップＳ２３の処理を繰り返す。即ち、画像を所定時間間隔でＬＣＤパネルに順次表示する。
【００３０】
一方、従ＤＰＦ５４（のＣＰＵ）は、受信部４２ａを介して、主ＤＰＦ５２から表示画像の画素値を受信する（ステップＳ２４）。なお、受信時において、従ＤＰＦ５４の電源スイッチはオンされ、スライドショーの実施が選択されているものとする。次に、従ＤＰＦ５４は、内部メモリ、Ｗｅｂサーバまたはメモリカードスロットに挿入されているメモリカードに記憶されている複数の画像の中から、ステップＳ２４において受信した画素値に対して所定範囲内である画素値を有する画像を選択し（ステップＳ２５）、選択した画像を従ＤＰＦ５４のＬＣＤパネルに表示する（ステップＳ２６）。そして、従ＤＰＦ５４は、ステップＳ２４に戻り、主ＤＰＦ５２から次の画像の画素値を受信し（ステップＳ２４）、受信した画素値に対して所定範囲内である画素値を有する次の画像を内部メモリ、Ｗｅｂサーバまたはメモリカードスロットに挿入されているメモリカードから選択し（ステップＳ２５）、スライドショーにおける１画像の表示時間である所定時間が経過した後、選択した次の画像をＬＣＤパネルに表示する（ステップＳ２６）。このように、観賞者によりスライドショーを停止する操作または主ＤＰＦ５２の電源スイッチがオフされる操作等が行われるまで、従ＤＰＦ５４は、ステップＳ２４〜ステップＳ２６の処理を繰り返す。即ち、画像を所定時間間隔でＬＣＤパネルに順次表示する。
【００３１】
第２の実施の形態に係るデジタルフォトフレームシステム５０によれば、机等の上に並べて設置されている主ＤＰＦ５２及び従ＤＰＦ５４に順次表示される画像の画素値（画質）を近似させることができ、主ＤＰＦ５２及び従ＤＰＦ５４に順次表示される画像の画質の連続性を損なうことがないため、主ＤＰＦ５２及び従ＤＰＦ５４に順次表示される画像を違和感なく観賞することができる。
【００３２】
なお、第２の実施の形態に係るデジタルフォトフレームシステムにおいては、１つの従ＤＰＦ５４を備えているが、２つ以上の従ＤＰＦを備えることもできる。この場合には、主ＤＰＦ５２は、複数の従ＤＰＦに対して表示画像の画素値を送信する。
【００３３】
また、第２の実施の形態においては、主ＤＰＦ５２が画像の画質に関する情報を送信し、従ＤＰＦ５４が画像の画質に関する情報を受信しているが、従ＤＰＦ５４を画像の画質に関する情報を送信する主ＤＰＦとし、主ＤＰＦ５２を画像の画質に関する情報を受信する従ＤＰＦとすることもできる。
【００３４】
また、第２の実施の形態においては、主ＤＰＦ５２が送信部及び受信部の双方を備えているが、送信部のみを備える構成にすることもできる。また、従ＤＰＦ５４が送信部及び受信部の双方を備えているが、受信部のみを備える構成にすることもできる。
【００３５】
また、第２の実施の形態においては、主ＤＰＦ５２は、内部メモリに記憶されている画像に関する情報を送信し、その画像を表示しているが、Ｗｅｂサーバに蓄積されている画像やメモリカードスロットに挿入されているメモリカードに記憶されている画像に関する情報を送信し、その画像を表示することもできる。
【００３６】
次に、図面を参照して、本発明の第３の実施の形態に係るＤＰＦについて説明する。なお、第３の実施の形態に係るＤＰＦの外観及びシステム構成は、図１及び図２に示すＤＰＦ２の外観及びシステム構成と同様であるため、詳細な説明を省略する。また、第３の実施の形態に係るＤＰＦにおいては、第１の実施の形態に係るＤＰＦ２の構成と同一の構成には同一の符号を用いて説明を行う。
【００３７】
この実施の形態に係るＤＰＦ２においてスライドショーを行う場合、図６に示すように、ＬＣＤパネル６を４つの領域６０ａ〜６０ｄに分割し、各領域６０ａ〜６０ｄに画像を所定時間間隔で順次表示する。このとき、領域６０ａに画像が表示されると同時に領域６０ｂ〜６０ｄに画像を表示させてもよく、領域６０ａに画像が表示された数秒後に領域６０ｂに画像を表示させ、領域６０ｃ，６０ｄの順に数秒タイミングをずらして画像を表示させてもよい。
【００３８】
次に、図７のフローチャートを参照して、第３の実施の形態に係るＤＰＦ２においてスライドショーが行われる際の処理について説明する。なお、この実施の形態においては、内部メモリ３４に記憶されている複数の画像は、略同一の画質を有しているものとし、これら画像の画質に関する情報は、各画像の画像データと共にタグデータとして内部メモリ３４に予め記憶されているものとする。また、領域６０ａに画像が表示された２〜３秒後に領域６０ｂ、更に２〜３秒後に領域６０ｃ、更に２〜３秒後に領域６０ｄに画像が表示されるものとして説明を行なう。また、１画像が１領域に表示される時間である所定時間は、８〜１２秒である。
【００３９】
まず、ＣＰＵ３０は、観賞者によりＤＰＦ２の電源スイッチ１２がオンされ、スライドショーの実施が選択されたことを認識すると、内部メモリ３４に記憶されている画像をＬＣＤパネル６の各領域６０ａ〜６０ｄに所定時間間隔で順次表示する。そして、ＣＰＵ３０は、最後の画像がいずれかの領域（この実施の形態においては、領域６０ａとする）に表示された後、基準画像を決定する（ステップＳ３０）。基準画像とは、領域６０ａ〜６０ｄにこれから表示される画像を選択する際に表示する画像の画質を判断するための基準となる画像のことである。基準画像は、その条件等（領域や画像）を自由に設定することができ、その条件等は内部メモリ３４に予め記憶されている。例えば、領域６０ａ〜６０ｄの中から所定領域を決定し、その所定領域に表示されている画像にしてもよく、スライドショーの最初に表示された画像、内部メモリ３４に記憶されている複数の画像の中で最後に表示された画像、または領域６０ａ〜６０ｄに表示されている画像の中で表示時間が最も短い画像等にしてもよい。また、観賞者が操作キー１４等を用いて予め手動で基準画像の条件等を設定することもできる。なお、この実施の形態においては、領域６０ａに表示されている画像を基準画像とする。
【００４０】
次に、ＣＰＵ３０は、ステップＳ３０において決定した基準画像（領域６０ａに表示されている画像）の画素値を内部メモリ３４に記憶されている画像データまたはタグデータから取得する（ステップＳ３１）。なお、ステップＳ３２〜Ｓ３７の処理は、図３に示すステップＳ１２〜Ｓ１７の処理と同一のため説明を省略する。
【００４１】
所定時間が経過した後（ステップＳ３７，Ｙｅｓ）、ＣＰＵ３０は、ステップＳ３２において取得した画像を、ＬＣＤパネル６の領域６０ｂに表示する（ステップＳ３８）。次に、ＣＰＵ３０は、ステップＳ３１に戻り、基準画像（領域６０ａに表示されている画像）の画素値を取得し（ステップＳ３１）、Ｗｅｂサーバ４８に蓄積されている複数の画像の中から次の画像を取得し（ステップＳ３２）、次の画像の画素値が基準画像の画素値に対して所定範囲内であるか否かの判別を行う（ステップＳ３５）。所定範囲内であれば領域６０ｃに次の画像を表示する。このように、観賞者によりスライドショーを停止する操作等が行われるまで、ＣＰＵ３０は、ステップＳ３１〜ステップＳ３７の処理を繰り返す。即ち、Ｗｅｂサーバ４８に蓄積されている複数の画像の中から適切な画素値を有する画像を所定時間間隔でＬＣＤパネル６の各領域６０ａ〜６０ｄに順次表示する。
【００４２】
第３の実施の形態に係るＤＰＦ２によれば、内部メモリ３４に記憶されているすべての画像を表示した後においても、Ｗｅｂサーバ４８に蓄積されている画像を領域６０ａ〜６０ｄに表示することができるため、スライドショーを継続することができる。また、基準画像を決め、Ｗｅｂサーバ４８に蓄積されている複数の画像の中から基準画像の画素値（画質）に近似した画像を選択し、取得することができるため、画像の画質の連続性を損なうことなく複数の画像を領域６０ａ〜６０ｄに順次表示させることができる。
【００４３】
なお、第３の実施の形態においては、Ｗｅｂサーバ４８に蓄積されている複数の画像の中から領域６０ａ〜６０ｄに表示される画像を選択する度に、基準画像（領域６０ａに表示されている画像）の画素値を画像データまたはタグデータから取得しているが、一度取得した基準画像の画素値をバッファメモリ３２に記憶させ、基準画像の画素値をバッファメモリ３２から読み込む構成にすることもできる。この場合、領域６０ａに新しい画像が表示されたときにその新しい画像を新たな基準画像とし、バッファメモリ３２に記憶されている画素値を新たな基準画像の画素値に置き換えてもよい。または、基準画像の画素値をバッファメモリ３２に記憶させてから一定時間経過した後に、領域６０ａまたは他の領域６０ｂ〜６０ｄに表示される画像を新たな基準画像とし、バッファメモリ３２に記憶されている画素値を新たな基準画像の画素値に置き換えてもよい。
【００４４】
また、第３の実施の形態においては、１つの基準画像を有しているが、２つ以上の基準画像を有することもできる。また、４つの領域６０ａ〜６０ｄに画像を表示しているが、３つ以下または５つ以上の領域に画像を表示することもできる。また、同一のサイズの領域に画像を表示しているが、異なるサイズの領域に画像を表示することもできる。例えば、図８に示すように、３つの異なるサイズの領域６２ａ〜６２ｃのそれぞれに画像を表示することもできる。
【００４５】
なお、第１及び第３の実施の形態においては、内部メモリ３４に記憶されている画像を表示した後に、Ｗｅｂサーバ４８に蓄積されている画像を表示しているが、Ｗｅｂサーバ４８に蓄積されている画像を表示した後に、内部メモリ３４に記憶されている画像を表示することもできる。この場合には、内部メモリ３４に記憶されている複数の画像の中から、ＬＣＤパネル６に表示されている画像または基準画像の画素値に対して所定範囲内の画素値を有する画像を選択して表示する。
【００４６】
また、メモリカードスロット１６にメモリカードが挿入されている場合、メモリカードに記憶されている画像を表示した後に、Ｗｅｂサーバ４８に蓄積されている画像や内部メモリ３４に記憶されている画像を表示してもよく、Ｗｅｂサーバ４８に蓄積されている画像や内部メモリ３４に記憶されている画像を表示した後に、メモリカードに記憶されている画像を表示してもよい。複数の画像が記録されているＵＳＢメモリがＵＳＢポート１８に接続されている場合も同様である。
【００４７】
なお、上述の各実施の形態においては、画像の画質を判断する基準として画素値を用いているが、画素値、圧縮率、ホワイトバランス値、撮像したカメラの種類、及び撮像時のスピードライトの有無等の少なくとも１つが画像の画像データと共にタグデータとしてＥｘｉｆ等の所定の形式で付加されている場合には、これら画質に関する情報の少なくとも１つを用いて画像の画質を判断してもよい。Ｗｅｂサーバに蓄積されている画像の中にはタグデータを含まない画像も存在し、タグデータを含まない画像に関しては、ホワイトバランス値、撮像したカメラの種類及び撮像時のスピードライトの有無を取得することができない。この場合には、画像の画像データから取得することができる画素値及び圧縮率の少なくとも一方を用いて画像の画質を判断する。また、画像の保存場所によって画像の画質を判断してもよい。例えば、メモリカードスロットに挿入されるメモリカードに記憶されている画像は同一のカメラにより撮像されたものであるとして、同一の画質を有していると判断する。
【符号の説明】
【００４８】
２，５２，５４…デジタルフォトフレーム（ＤＰＦ）、４…装置本体、６…ＬＣＤパネル、１４…操作キー、１６…メモリカードスロット、３０…ＣＰＵ、３２…バッファメモリ、３４…内部メモリ、４０，４０ａ…送信部、４２，４２ａ…受信部、４８…Ｗｅｂサーバ、５０…デジタルフォトフレームシステム。
【図１】
2010039467.tif 000003
【図２】
2010039467.tif 000004
【図３】
2010039467.tif 000005
【図４】
2010039467.tif 000006
【図５】
2010039467.tif 000007
【図６】
2010039467.tif 000008
【図７】
2010039467.tif 000009
【図８】
2010039467.tif 000010